(57)【要約】【課題】  紙容器本体から口栓を容易に取り外すことができるようにした口栓付紙容器を得る。【解決手段】  口栓２が接着される頂面パネル１４に連接する第１トップシールパネル２０に、端縁から第１トップシールパネル２０の幅を超えない範囲で、口栓２の上部中央から垂直方向に向かう垂直線上に沿った誘導カット部２８を設け、第１トップシールパネル２０の端縁には、誘導カット部２８の一側に他の第１トップシールパネル２１を超える摘まみ片部２９を形成した。【選択図】図１
2020158130.tif 000002
【特許請求の範囲】
【請求項１】
四角の筒状胴部を形成するところの胴部縦折線を介して連接している胴部正面パネルと胴部左右側面パネルと胴部背面パネルとを有し、頂部を形成するところの前記胴部正面パネル及び前記胴部背面パネルに第１頂部横折線を介して連接する一対の頂面パネルと、前記胴部左右側面パネルに第２頂部横折線を介して連接する一対の側面パネルと、前記一対の頂面パネルに第１トップシール横折線を介して連接する一対の第１トップシールパネルと、前記一対の側面パネルに第２トップシール横折線を介して連接する一対の第２トップシールパネルとを有し、前記一対の側面パネルには前記第２トップシールパネル横折線の中点から前記第２頂部横折線の両端を結ぶ傾斜罫線が形成され、前記第２トップシールパネルには前記第２トップシールパネルの上端から垂下して前記第２トップシールパネル横折線の中点に渡る側面トップシール縦折線が形成されたカートンブランクスから形成され、前記側面トップシールパネルを山折りして前記第１トップシールパネル及び前記第２トップシールパネルの対向面を貼り合わせて頂部を封止し、前記傾斜罫線を折り込み前記側面パネルから略三角形状のフラップを形成し、前記フラップを前記筒状胴部の左右の側面に折り畳んで平坦な頂部が形成され、前記胴部正面パネルに連接する頂面パネルにキャップとスパウトからなる口栓が接着された口栓付き紙容器であって、
前記口栓が接着される前記頂面パネルに連接する前記第１トップシールパネルに、端縁から前記第１トップシールパネルの幅を超えない範囲で、前記口栓の上部中央から垂直方向に向かう垂直線上に沿った誘導カット部が設けられ、前記第１トップシールパネルの端縁には、前記誘導カット部の一側に他の第１トップシールパネルを超える摘まみ片部が形成されていることを特徴とする口栓付き紙容器。
【請求項２】
四角の筒状胴部を形成するところの胴部縦折線を介して連接している胴部正面パネルと胴部左右側面パネルと胴部背面パネルとを有し、頂部を形成するところの前記胴部正面パネル及び前記胴部背面パネルに第１頂部横折線を介して連接する一対の頂面パネルと、前記胴部左右側面パネルに第２頂部横折線を介して連接する一対の側面パネルと、前記一対の頂面パネルに第１トップシール横折線を介して連接する一対の第１トップシールパネルと、前記一対の側面パネルに第２トップシール横折線を介して連接する一対の第２トップシールパネルとを有し、前記一対の側面パネルには前記第２トップシールパネル横折線の中点から前記第２頂部横折線の両端を結ぶ傾斜罫線が形成され、前記第２トップシールパネルには前記第２トップシールパネルの上端から垂下して前記第２トップシールパネル横折線の中点に渡る側面トップシール縦折線が形成されたカートンブランクスから形成され、前記側面トップシールパネルを山折りして前記第１トップシールパネル及び前記第２トップシールパネルの対向面を貼り合わせて頂部を封止し、前記傾斜罫線を折り込み前記側面パネルから略三角形状のフラップを形成し、前記フラップを前記筒状胴部の左右の側面に折り畳んで平坦な頂部が形成され、前記前記胴部正面パネルに連接する前記頂面パネルにキャップとスパウトからなる口栓が接着された口栓付き紙容器であって、
前記口栓が接着された頂面パネルに連接する前記第１トップシールパネルの端縁に他の前記第１トップシールパネルを超える延長縁部が設けられ、前記延長縁部に、その端縁から前記延長縁部の幅を超えない範囲で、前記口栓の上部中央から垂直方向に向かう垂直線上に沿った誘導カット部が設けられていることを特徴とする口栓付き紙容器。
【請求項３】
前記延長縁部の端縁には、前記誘導カット部の一側に摘まみ片部が延長して形成されていることを特徴とする請求項２に記載の口栓付き紙容器。
【発明の詳細な説明】
【技術分野】
【０００１】
本発明は、牛乳やジュース等の液体飲料、液体洗剤、ゼリーやクリームなどの粘稠物、果実片等の固形状の食物をミックスした液体飲料などの液状物を収容するフラットトップ型頂部を有する口栓付紙容器である。
【背景技術】
【０００２】
液体を収容する紙容器として、紙容器本体の頂部にプラスチック製の口栓を溶着して設けた口栓付紙容器が広く用いられている。このような口栓付紙容器は、環境保全や資源の再利用のため、使用後には紙容器本体と口栓とに分別して収集するといったことが行われている。
【０００３】
しかし、プラスチック製の口栓が紙容器本体の頂部に溶着して設けられている場合、素手で紙容器本体の頂部から口栓を取り外すことは困難である。そのため、ハサミやカッターナイフ等で口栓の周囲を切断して口栓を切り取るといったことが行われているが、誤って怪我をするおそれがあり、安全性に欠ける。
【０００４】
そこで、紙容器本体から口栓をハサミやカッターナイフ等を使用することなく、取り外すことができるようにしたものとして、口栓を設けた頂面と頂面に横折線を介して連接する胴部に、頂面に設けた口栓の左右中央下方近傍位置より横折線と交差して頂面と胴部に跨がる縦罫線を設け、口栓の下方の頂面を指で押圧して、押圧部分に縦罫線の作用による凹部を形成し、口栓のスパウトの下面を頂面から一部剥離させ、この剥離部をきっかけとして口栓を頂面から剥離させ、紙容器本体から口栓を取り外すようにした口栓付紙容器が開示されている（例えば特許文献１参照。）。
【先行技術文献】
【特許文献】
【０００５】
【特許文献１】特開２００１−３１５７７０号公報
【発明の概要】
【発明が解決しようとする課題】
【０００６】
特許文献１に記載されている口栓付紙容器によれば、紙容器本体からの口栓の取り外しは、口栓の下方の頂面を指で押圧して、押圧部分に縦罫線の作用による凹部を形成し、口栓のスパウトの下面を頂面から一部剥離させ、口栓取り外しのきっかけとしている。
しかしながら、横折線と交差して頂面と胴部に跨がる縦罫線は短く、しかも指による押圧力を受けて作用するのは、横折線と交差して頂面と胴部に跨がる縦罫線だけなので、凹部を形成させる作用を縦罫線に与えるためには大きい押圧力が必要となる。このため力の弱い、例えば老人や女性には口栓の下方の頂面を凹ませ紙容器本体から口栓を取り外すことは困難であるといった問題がある。
【０００７】
本発明の目的は、紙容器本体から口栓を容易に取り外すことができるようにした口栓付紙容器を提供することにある。
【課題を解決するための手段】
【０００８】
上記の目的を達成するために、請求項１に記載の発明は、四角の筒状胴部を形成するところの胴部縦折線を介して連接している胴部正面パネルと胴部左右側面パネルと胴部背面パネルとを有し、頂部を形成するところの前記胴部正面パネル及び前記胴部背面パネルに第１頂部横折線を介して連接する一対の頂面パネルと、前記胴部左右側面パネルに第２頂部横折線を介して連接する一対の側面パネルと、前記一対の頂面パネルに第１トップシール横折線を介して連接する一対の第１トップシールパネルと、前記一対の側面パネルに第２トップシール横折線を介して連接する一対の第２トップシールパネルとを有し、前記一対の側面パネルには前記第２トップシールパネル横折線の中点から前記第２頂部横折線の両端を結ぶ傾斜罫線が形成され、前記第２トップシールパネルには前記第２トップシールパネルの上端から垂下して前記第２トップシールパネル横折線の中点に渡る側面トップシール縦折線が形成されたカートンブランクスから形成され、前記側面トップシールパネルを山折りして前記第１トップシールパネル及び前記第２トップシールパネルの対向面を貼り合わせて頂部を封止し、前記傾斜罫線を折り込み前記側面パネルから略三角形状のフラップを形成し、前記フラップを前記筒状胴部の左右の側面に折り畳んで平坦な頂部が形成され、前記胴部正面パネルに連接する頂面パネルにキャップとスパウトからなる口栓が接着された口栓付き紙容器であって、前記口栓が接着される前記頂面パネルに連接する前記第１トップシールパネルに、端縁から前記第１トップシールパネルの幅を超えない範囲で、前記口栓の上部中央から垂直方向に向かう垂直線上に沿った誘導カット部が設けられ、前記第１トップシールパネルの端縁には、前記誘導カット部の一側に他の第１トップシールパネルを超える摘まみ片部が形成されていることを特徴とする。
【０００９】
請求項１に記載の発明によれば、前記口栓が接着される前記頂面パネルに連接する前記第１トップシールパネルに、端縁から前記第１トップシールパネルの幅を超えない範囲で、前記口栓の上部中央から垂直方向に向かう垂直線上に沿った前記誘導カット部が設けられ、前記第１トップシールパネルの端縁には、前記誘導カット部の一側に他の前記第１トップシールパネルを超える前記摘まみ片部が形成されているので、前記摘まみ片部を摘まんで引き上げることにより、前記誘導カット部により誘導されて前記口栓が接着された前記頂面パネルを、前記口栓の中央を通って２分するように引き裂くことができる。
前記頂面パネルの引き裂きにより、前記頂面パネルに接着していた前記口栓のスパウトの一部を残った前記頂面パネルから剥離させることができ、この剥離した部分を前記口栓取り外しのきっかけとし、前記スパウトを前記頂面パネルから剥離することにより、紙容器本体から前記口栓を容易に取り外すことができる。
【００１０】
請求項２に記載の発明は、四角の筒状胴部を形成するところの胴部縦折線を介して連接している胴部正面パネルと胴部左右側面パネルと胴部背面パネルとを有し、頂部を形成するところの前記胴部正面パネル及び前記胴部背面パネルに第１頂部横折線を介して連接する一対の頂面パネルと、前記胴部左右側面パネルに第２頂部横折線を介して連接する一対の側面パネルと、前記一対の頂面パネルに第１トップシール横折線を介して連接する一対の第１トップシールパネルと、前記一対の側面パネルに第２トップシール横折線を介して連接する一対の第２トップシールパネルとを有し、前記一対の側面パネルには前記第２トップシールパネル横折線の中点から前記第２頂部横折線の両端を結ぶ傾斜罫線が形成され、前記第２トップシールパネルには前記第２トップシールパネルの上端から垂下して前記第２トップシールパネル横折線の中点に渡る側面トップシール縦折線が形成されたカートンブランクスから形成され、前記側面トップシールパネルを山折りして前記第１トップシールパネル及び前記第２トップシールパネルの対向面を貼り合わせて頂部を封止し、前記傾斜罫線を折り込み前記側面パネルから略三角形状のフラップを形成し、前記フラップを前記筒状胴部の左右の側面に折り畳んで平坦な頂部が形成され、前記前記胴部正面パネルに連接する前記頂面パネルにキャップとスパウトからなる口栓が接着された口栓付き紙容器であって、前記口栓が接着された頂面パネルに連接する前記第１トップシールパネルの端縁に他の前記第１トップシールパネルを超える延長縁部が設けられ、前記延長縁部に、その端縁から前記延長縁部の幅を超えない範囲で、前記口栓の上部中央から垂直方向に向かう垂直線上に沿った誘導カット部が設けられていることを特徴とする。
【００１１】
請求項２に記載の発明によれば、前記口栓が接着された前記頂面パネルに連接する前記第１トップシールパネルの端縁に他の前記第１トップシールパネルを超える前記延長縁部が設けられ、前記延長縁部に、その端縁から前記延長縁部の幅を超えない範囲で、前記口栓の上部中央から垂直方向に向かう垂直線上に沿った前記誘導カット部が設けられているので、前記口栓が接着された前記頂面パネルに連接する前記第１トップシールパネルの端縁に設けられた前記延長縁部における前記誘導カット部の左右側いずれかの部分を摘まんで引き上げることにより、前記誘導カット部により誘導されて前記口栓が接着された前記頂面パネルを、前記口栓の中央を通って２分するように引き裂くことができる。
前記頂面パネルの引き裂きにより、前記頂面パネルに接着していた前記口栓のスパウトの一部を残った前記頂面パネルから剥離させることができ、この剥離した部分を口栓取り外しのきっかけとし、前記スパウトを頂面パネルから剥離することにより、紙容器本体から前記口栓を容易に取り外すことができる。
【００１２】
請求項３に記載の発明は、請求項２に記載の、前記延長縁部の端縁には、前記誘導カット部の一側に摘まみ片部が延長して形成されていることを特徴とする。
【００１３】
請求項３に記載の発明によれば、前記延長縁部の端縁には、前記誘導カット部の一側に前記摘まみ片部が延長して形成されているので、前記摘まみ片部によって摘まみ範囲面積が大きくなり、摘まみ易く強く力を入れて引き上げることができるので、前記口栓が接着された前記頂面パネルを容易に引き裂くことができる。
【発明の効果】
【００１４】
以上のように、本発明に係る口栓付紙容器によれば、紙容器本体から口栓を容易に取り外すことができる。
【図面の簡単な説明】
【００１５】
【図１】本発明に係る口栓付紙容器の実施の形態の第１例を示す平面図である。
【図２】第１例の口栓付紙容器の一部省略側面図である。
【図３】第１例の口栓付紙容器の紙容器本体を形成するカートンブランクスである。
【図４】第１例の口栓付紙紙器の紙容器本体からフラップ栓を取り外す過程を示す説明図である。
【図５】本発明に係る口栓付紙容器の実施の形態の第２例を示す平面図である。
【図６】第２例の口栓付紙容器の紙容器本体を形成するカートンブランクスである。
【図７】本発明に係る口栓付紙容器の実施の形態の第３例を示す平面図である。
【図８】第３例の口栓付紙容器の紙容器本体を形成するカートンブランクスである。
【００１６】
以下、本発明に係る口栓付紙容器の実施の形態の一例を、図面を参照して詳細に説明する。
図１乃至図４は本発明に係る口栓付紙容器の実施の形態の第１例を示すものであり、図１は第１例の口栓付紙容器の平面図、図２は第１例の口栓付紙容器の一部省略側面図、図３は第１例の口栓付紙容器の紙容器本体を形成するカートンブランクス、図４は第１例の口栓付紙紙器の紙容器本体からフラップ栓を取り外す過程を示す説明図である。
【００１７】
第１例の口栓付紙容器は、四角の筒状胴部４と平坦な頂部１２を有する紙容器本体１と、紙容器本体１の頂部１２に設けられた口栓２からなり、紙容器本体１は図２に示すカートンブランクス３から成形される。
【００１８】
カートンブランクス３は、四角の筒状胴部４を形成するところの胴部縦折線５，６，７を介して連接している胴部正面パネル８と胴部左右側面パネル９，１０と胴部背面パネル１１とを有し、また、頂部１２を形成するところの胴部正面パネル８及び胴部背面パネル１１に第１頂部横折線１３を介して連接する一対の頂面パネル１４，１５と、胴部左右側面パネル９，１０に第２頂部横折線１６を介して連接する一対の側面パネル１７，１８と、一対の頂面パネル１４，１５に第１トップシール横折線１９を介して連接する一対の第１トップシールパネル２０，２１と、一対の側面パネル１７，１８に第２トップシール横折線２２を介して連接する一対の第２トップシールパネル２３，２４とを有している。
【００１９】
一対の側面パネル１７，１８には第２トップシールパネル横折線２２の中点から第２頂部横折線１６の両端を結ぶ傾斜罫線２５，２６が形成されている。
【００２０】
また、胴部正面パネル８に第１頂部横折線１３を介して連接する頂面パネル１４は口栓２が接着される面となっており、口栓２と連通させる開口部２７が形成されている。
【００２１】
頂面パネル１４へ接着される口栓２はキャップ２ａとスパウト２ｂからなり、スパウト２ｂを開口部２７の周囲に溶着により接着する。
【００２２】
さらに、口栓２が接着される頂面パネル１４に連接する第１トップシールパネル２０に、端縁から第１トップシールパネル２０の幅を超えない範囲で、口栓２の上部中央から垂直方向に向かう垂直線上に沿った誘導カット部２８が設けられ、第１トップシールパネル２０の端縁には、誘導カット部２８の一側に他の第１トップシールパネル２１を超える摘まみ片部２９が形成されている。
【００２３】
第１例では、紙容器本体１の頂部１２は、側面トップシール縦折線３４を山折りして第１トップシールパネル２０，２１及び第２トップシールパネル２３，２４の対向面を貼り合わせて頂部１２を封止し、傾斜罫線２５，２６を山折りして側面パネル１４，１５から略三角形状のフラップ３０，３１を形成し、フラップ３１，３２を筒状胴部４の左右の側面となる胴部左右側面パネル９，１０に折り重ねて平坦な頂部１２としている。
【００２４】
このように構成された第１例の口栓付紙容器の紙容器本体１からの口栓２の取り外しは、次のように行われる。
【００２５】
第１トップシールパネル２０の端縁に形成されている摘まみ片部２９を摘まみ引き上げる。
摘まみ片部２９の引き上げにより口栓２が接着される頂面パネル１４は、誘導カット部２８に誘導されて引き裂かれるが、誘導カット部２８は口栓２の上部中央から垂直方向に向かう垂直線上に沿って設けられているので、摘まみ片部２９を摘まんで引き上げたとき、引き裂き方向が誘導カット部２８により誘導され、頂面パネル１４を口栓２の中央を通って２分するように引き裂くことができる。
【００２６】
頂面パネル１４の引き裂きにより、頂面パネル１４に接着している口栓２のスパウト２ｂの一部を残った頂面パネル１４から剥離させることができ、この剥離した部分を口栓２の取り外しのきっかけとし、スパウト２ｂを頂面パネル１４から剥離することにより、紙容器本体１から口栓２を容易に取り外すことができる。
【００２７】
図５、図６は本発明に係る口栓付紙容器の実施の形態の第２例を示すものであり、図５は第２例の口栓付紙容器の平面図、図６は第２例の口栓付紙容器の紙容器本体を形成するカートンブランクスである。
【００２８】
第２例の口栓付紙容器は、第１例の口栓付紙容器と基本構成において変わるところはなく、第１例と同一の構成については同一の符号を付して説明する。
第２例と第１例との違いは、口栓２が接着された頂面パネル１４に連接する第１トップシールパネル２０の端縁に、他の第１トップシールパネル２１を超える延長縁部３２が設けられ、延長縁部３２に、その端縁から延長縁部３２の幅を超えない範囲で、口栓２の上部中央から垂直方向に向かう垂直線上に沿った誘導カット部２８が設けられているところにある。
【００２９】
このように構成された第２例の口栓付紙容器の紙容器本体１からの口栓２の取り外しは、次のように行われる。
第１トップシールパネル２０の端縁に設けられた延長縁部３２における誘導カット部２８の左右側いずれか一方の部分３２ａを摘まんで引き上げる。
延長縁部３２の一方の部分３２ａの引き上げにより口栓２が接着される頂面パネル１４は、誘導カット部２８に誘導されて引き裂かれるが、誘導カット部２８は口栓２の上部中央から垂直方向に向かう垂直線上に沿って設けられているので、延長縁部３２の一方の部分３２ａを摘まんで引き上げたとき、第１例と同様に、引き裂き方向が誘導カット部２８により誘導され、頂面パネル１４を口栓２の中央を通って２分するように引き裂くことができる。
【００３０】
頂面パネル１４の引き裂きにより、第１例と同様に、頂面パネル１４に接着している口栓２のスパウト２ｂの一部を残った頂面パネル１４から剥離させることができ、この剥離した部分を口栓２の取り外しのきっかけとし、スパウト２ｂを頂面パネル１４から剥離することにより、紙容器本体１から口栓２を容易に取り外すことができる。
その他の構成は、第１例と同様なので第１例を援用し、その説明を省略する。
【００３１】
図７、図８は本発明に係る口栓付紙容器の実施の形態の第３例を示すものであり、図７は第３例の口栓付紙容器の平面図、図８は第３例の口栓付紙容器の紙容器本体を形成するカートンブランクスである。
【００３２】
第３例の口栓付紙容器は、第２例の口栓付紙容器と基本構成において変わるところはなく、第２例と同一の構成については同一の符号を付して説明する。
第３例と第２例との違いは、延長縁部３２の端縁には、誘導カット部２８の一側に摘まみ片部３３が延長して形成されているところにある。
【００３３】
このように構成された第２例の口栓付紙容器によれば、延長縁部３２の端縁には、誘導カット部２８の一側に摘まみ片部３３が延長して形成されているので、摘まみ片部３３によって摘まみ範囲面積が大きくなり、摘まみ易く強く力を入れて引き上げることができるので、口栓２が接着された頂面パネル１４を容易に引き裂くことができ、紙容器本体１から口栓２を容易に取り外すことができる。
その他の構成は、第１例と同様なので第１例を援用し、その説明を省略する。
【符号の説明】
【００３４】
１  紙容器本体
２  口栓
２ａ  キャップ
２ｂ  スパウト
３  カートンブランクス
４  筒状胴部
５，６，７  胴部縦折線
８  胴部正面パネル
９  胴部左側面パネル
１０  胴部右側面パネル
１１  胴部背面パネル
１２  頂部
１３  第１頂部横折線
１４，１５  頂面パネル
１６  第２頂部横折線
１７，１８  側面パネル
１９  第１トップシール横折線
２０，２１  第１トップシールパネル
２２  第２トップシール横折線
２３，２４  第２トップシールパネル
２５，２６  傾斜罫線
２７  開口部
２８  誘導カット部
２９  摘まみ片部
３０，３１  フラップ
３２  延長縁部
３３  摘まみ片部
３４  側面トップシール縦折線
【図１】
2020158130.tif 000003
【図２】
2020158130.tif 000004
【図３】
2020158130.tif 000005
【図４】
2020158130.tif 000006
【図５】
2020158130.tif 000007
【図６】
2020158130.tif 000008
【図７】
2020158130.tif 000009
【図８】
2020158130.tif 000010